【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
車両に搭載されて用いられる車載機器であって、
携帯機器との通信を行う通信手段と、
複数の前記携帯機器に割り当てられた複数の固有情報を記憶する固有情報記憶手段と、
記憶した前記複数の固有情報のうち、前記通信手段により通信が可能な１以上の携帯機器に対応する１以上の固有情報を、表示または音声出力する固有情報出力手段と、
出力された前記１以上の固有情報の中から１の固有情報を選択するための操作手段と、
選択された前記１の固有情報に対応する携帯機器を、優先通信の対象となる優先機器として設定する優先機器設定手段と、
前記優先機器として機能したことがある前記携帯機器と、その携帯機器が優先機器として機能していた時の、前記車両の走行時間、走行距離、走行地点のうち少なくとも１を含む走行履歴と、を関連付けて記憶する走行履歴記憶手段と、を備え、
前記固有情報出力手段は、前記走行履歴記憶手段を参照し、前記通信手段により通信が可能な前記１以上の携帯機器に対応する前記１以上の固有情報を、当該１以上の携帯機器に関連付けられた前記走行履歴に応じて、表示または音声出力することを特徴とする車載機器。
【請求項２】
前記通信手段により通信が可能な前記１以上の携帯機器について、対応する前記固有情報が、前記固有情報記憶手段に記憶されているか否かを判別する固有情報判別手段と、
前記固有情報判別手段により、前記固有情報が記憶されていないと判別された携帯機器が存在する場合、当該携帯機器の前記固有情報を前記固有情報記憶手段に登録する固有情報登録手段と、をさらに備えたことを特徴とする請求項１に記載の車載機器。
【請求項３】
前記通信手段により通信が可能な前記１以上の携帯機器について、対応する前記固有情報の形式が、所定の形式と一致するか否かを判別する形式判別手段をさらに備え、
前記固有情報登録手段は、前記形式判別手段により、前記固有情報の形式が前記所定の形式と一致すると判別された場合、当該固有情報を登録することを特徴とする請求項２に記載の車載機器。
【請求項４】
前記携帯機器は、その所有者に関する所有者情報を記憶する所有者情報記憶部を有しており、
前記固有情報登録手段は、前記携帯機器の前記所有者情報記憶部から読み出した前記所有者情報を、当該携帯機器の固有情報として登録することを特徴とする請求項２に記載の車載機器。
【請求項５】
前記携帯機器は、携帯電話であり、
各携帯機器の所有者に関する所有者情報と電話番号とを関連付けた電話帳を記憶する電話帳記憶手段をさらに備え、
前記固有情報登録手段は、前記通信手段により通信が可能な前記１以上の携帯機器からそれぞれの前記電話番号を読み出し、前記電話帳記憶手段を参照して、各電話番号と関連付けられた前記所有者情報を、前記１以上の携帯機器の固有情報として登録することを特徴とする請求項２に記載の車載機器。
【請求項６】
前記携帯機器は、携帯電話であると共に、当該携帯電話は、各携帯機器の所有者に関する所有者情報と電話番号とを関連付けた電話帳を記憶する電話帳記憶部を有しており、
前記通信手段により、複数の前記携帯機器と通信が可能な場合、
前記固有情報登録手段は、前記通信手段により通信が可能な前記複数の携帯機器からそれぞれの前記電話番号を読み出すと共に、当該複数の携帯機器の前記電話帳記憶部を参照して、読み出した各電話番号と関連付けられた前記所有者情報を検索し、検索した各所有者情報を、前記複数の携帯機器の固有情報として登録することを特徴とする請求項２に記載の車載機器。
【請求項７】
前記携帯機器は、各携帯機器を識別するための情報であって前記固有情報と同一または異なる情報である第一固有情報を記憶する第一固有情報記憶部を有しており、
前記携帯機器の前記第一固有情報記憶部から読み出した前記第一固有情報に対し、前記操作手段を用いてユーザが指定した前記固有情報を第三固有情報として関連付け、前記固有情報記憶手段に登録する固有情報登録手段をさらに備えたことを特徴とする請求項１に記載の車載機器。
【請求項８】
前記通信手段は、ユーザが指定した前記第三固有情報を、当該第三固有情報と関連付けられた前記第一固有情報を有する前記携帯機器に送信し、
前記携帯機器の前記第一固有情報記憶部は、前記通信手段により送信された前記第三固有情報を、前記第一固有情報として記憶することを特徴とする請求項７に記載の車載機器。
【請求項９】
前記固有情報出力手段は、前記１以上の携帯機器に関連付けられた前記走行履歴に応じて、前記１以上の固有情報の出力順序または出力形態を変化することを特徴とする請求項１に記載の車載機器。
【請求項１０】
前記携帯機器は、日時または曜日に関する時期情報を記憶する時期情報記憶部を有しており、
前記固有情報出力手段は、前記１以上の携帯機器の前記時期情報記憶部を参照し、各携帯機器に記憶された時期情報に応じて、前記１以上の固有情報を、表示または音声出力することを特徴とする請求項１に記載の車載機器。
【請求項１１】
前記時期情報記憶部は、前記時期情報と、目的地を示す目的地情報とを関連付けて記憶しており、
前記携帯機器の前記時期情報記憶部から読み出した前記目的地情報に基づいて、経路誘導を行う経路誘導手段をさらに備えたことを特徴とする請求項１０に記載の車載機器。
【請求項１２】
前記固有情報出力手段は、優先順位をつけて前記１以上の固有情報を表示または音声出力し、
前記優先機器設定手段は、前記固有情報出力手段による出力時点から所定時間内に前記操作手段による選択が行われなかった場合、優先順位が最も高い前記固有情報に対応する携帯機器を、前記優先機器として設定することを特徴とする請求項１に記載の車載機器。
【請求項１３】
請求項１ないし１２のいずれか１項に記載の車載機器と、前記携帯機器と、から成ることを特徴とする情報通信システム。
【請求項１４】
車両に搭載されて用いられ、携帯機器と通信可能であると共に、複数の前記携帯機器に割り当てられた複数の固有情報を記憶する固有情報記憶手段を備えた車載機器の通信制御方法であって、
前記車載機器が、
１以上の前記携帯機器と通信を行う通信ステップと、
前記固有情報記憶手段に記憶されている前記複数の固有情報のうち、通信が可能な前記１以上の携帯機器に対応する１以上の固有情報を、表示または音声出力する固有情報出力ステップと、
出力された前記１以上の固有情報の中から１の固有情報が選択されたことによる操作信号を取得する操作信号取得ステップと、
選択された前記１の固有情報に対応する携帯機器を、優先通信の対象となる優先機器として設定する優先機器設定ステップと、
前記優先機器として機能したことがある前記携帯機器と、その携帯機器が優先機器として機能していた時の、前記車両の走行時間、走行距離、走行地点のうち少なくとも１を含む走行履歴と、を関連付けてデータベースに記憶する走行履歴記憶ステップと、を実行し、
前記固有情報出力ステップでは、前記データベースを参照し、前記通信手段により通信が可能な前記１以上の携帯機器に対応する前記１以上の固有情報を、当該１以上の携帯機器に関連付けられた前記走行履歴に応じて、表示または音声出力することを特徴とする車載機器の通信制御方法。
【請求項１５】
コンピュータに、請求項１４に記載の車載機器の通信制御方法における各ステップを実行させるためのプログラム。
【手続補正２】
【補正対象書類名】明細書
【補正対象項目名】０００６
【補正方法】変更
【補正の内容】
【０００６】
本発明の車載機器は、車両に搭載されて用いられる車載機器であって、携帯機器との通信を行う通信手段と、複数の携帯機器に割り当てられた複数の固有情報を記憶する固有情報記憶手段と、記憶した複数の固有情報のうち、通信手段により通信が可能な１以上の携帯機器に対応する１以上の固有情報を、表示または音声出力する固有情報出力手段と、出力された１以上の固有情報の中から１の固有情報を選択するための操作手段と、選択された１の固有情報に対応する携帯機器を、優先通信の対象となる優先機器として設定する優先機器設定手段と、優先機器として機能したことがある携帯機器と、その携帯機器が優先機器として機能していた時の、車両の走行時間、走行距離、走行地点のうち少なくとも１を含む走行履歴と、を関連付けて記憶する走行履歴記憶手段と、を備え、固有情報出力手段は、走行履歴記憶手段を参照し、通信手段により通信が可能な１以上の携帯機器に対応する１以上の固有情報を、当該１以上の携帯機器に関連付けられた走行履歴に応じて、表示または音声出力することを特徴とする。
上記に記載の車載機器において、通信手段により通信が可能な１以上の携帯機器について、対応する固有情報が、固有情報記憶手段に記憶されているか否かを判別する固有情報判別手段と、固有情報判別手段により、固有情報が記憶されていないと判別された携帯機器が存在する場合、当該携帯機器の固有情報を固有情報記憶手段に登録する固有情報登録手段と、をさらに備えたことを特徴とする。
上記に記載の車載機器において、通信手段により通信が可能な１以上の携帯機器について、対応する固有情報の形式が、所定の形式と一致するか否かを判別する形式判別手段をさらに備え、固有情報登録手段は、形式判別手段により、固有情報の形式が所定の形式と一致すると判別された場合、当該固有情報を登録することを特徴とする。
上記に記載の車載機器において、携帯機器は、その所有者に関する所有者情報を記憶する所有者情報記憶部を有しており、固有情報登録手段は、携帯機器の所有者情報記憶部から読み出した所有者情報を、当該携帯機器の固有情報として登録することを特徴とする。
上記に記載の車載機器において、携帯機器は、携帯電話であり、各携帯機器の所有者に関する所有者情報と電話番号とを関連付けた電話帳を記憶する電話帳記憶手段をさらに備え、固有情報登録手段は、通信手段により通信が可能な１以上の携帯機器からそれぞれの電話番号を読み出し、電話帳記憶手段を参照して、各電話番号と関連付けられた所有者情報を、１以上の携帯機器の固有情報として登録することを特徴とする。
上記に記載の車載機器において、携帯機器は、携帯電話であると共に、当該携帯電話は、各携帯機器の所有者に関する所有者情報と電話番号とを関連付けた電話帳を記憶する電話帳記憶部を有しており、通信手段により、複数の携帯機器と通信が可能な場合、固有情報登録手段は、通信手段により通信が可能な複数の携帯機器からそれぞれの電話番号を読み出すと共に、当該複数の携帯機器の電話帳記憶部を参照して、読み出した各電話番号と関連付けられた所有者情報を検索し、検索した各所有者情報を、複数の携帯機器の固有情報として登録することを特徴とする。
上記に記載の車載機器において、携帯機器は、各携帯機器を識別するための情報であって固有情報と同一または異なる情報である第一固有情報を記憶する第一固有情報記憶部を有しており、携帯機器の第一固有情報記憶部から読み出した第一固有情報に対し、操作手段を用いてユーザが指定した固有情報を第三固有情報として関連付け、固有情報記憶手段に登録する固有情報登録手段をさらに備えたことを特徴とする。
上記に記載の車載機器において、通信手段は、ユーザが指定した第三固有情報を、当該第三固有情報と関連付けられた第一固有情報を有する携帯機器に送信し、携帯機器の第一固有情報記憶部は、通信手段により送信された第三固有情報を、第一固有情報として記憶することを特徴とする。
上記に記載の車載機器において、固有情報出力手段は、１以上の携帯機器に関連付けられた走行履歴に応じて、１以上の固有情報の出力順序または出力形態を変化することを特徴とする。
上記に記載の車載機器において、携帯機器は、日時または曜日に関する時期情報を記憶する時期情報記憶部を有しており、固有情報出力手段は、１以上の携帯機器の時期情報記憶部を参照し、各携帯機器に記憶された時期情報に応じて、１以上の固有情報を、表示または音声出力することを特徴とする。
上記に記載の車載機器において、時期情報記憶部は、時期情報と、目的地を示す目的地情報とを関連付けて記憶しており、携帯機器の時期情報記憶部から読み出した目的地情報に基づいて、経路誘導を行う経路誘導手段をさらに備えたことを特徴とする。
上記に記載の車載機器において、固有情報出力手段は、優先順位をつけて１以上の固有情報を表示または音声出力し、優先機器設定手段は、固有情報出力手段による出力時点から所定時間内に操作手段による選択が行われなかった場合、優先順位が最も高い固有情報に対応する携帯機器を、優先機器として設定することを特徴とする。
本発明の情報通信システムは、上記に記載の車載機器と、携帯機器と、から成ることを特徴とする。
本発明の車載機器の通信制御方法は、車両に搭載されて用いられ、携帯機器と通信可能であると共に、複数の携帯機器に割り当てられた複数の固有情報を記憶する固有情報記憶手段を備えた車載機器の通信制御方法であって、車載機器が、１以上の携帯機器と通信を行う通信ステップと、固有情報記憶手段に記憶されている複数の固有情報のうち、通信が可能な１以上の携帯機器に対応する１以上の固有情報を、表示または音声出力する固有情報出力ステップと、出力された１以上の固有情報の中から１の固有情報が選択されたことによる操作信号を取得する操作信号取得ステップと、選択された１の固有情報に対応する携帯機器を、優先通信の対象となる優先機器として設定する優先機器設定ステップと、優先機器として機能したことがある携帯機器と、その携帯機器が優先機器として機能していた時の、車両の走行時間、走行距離、走行地点のうち少なくとも１を含む走行履歴と、を関連付けてデータベースに記憶する走行履歴記憶ステップと、を実行し、固有情報出力ステップでは、データベースを参照し、通信手段により通信が可能な１以上の携帯機器に対応する１以上の固有情報を、当該１以上の携帯機器に関連付けられた走行履歴に応じて、表示または音声出力することを特徴とする。
本発明のプログラムは、コンピュータに、上記に記載の車載機器の通信制御方法における各ステップを実行させることを特徴とする。
なお、以下の構成としても良い。
本発明の車載機器は、携帯機器との通信を行う通信手段と、複数の携帯機器に割り当てられた複数の固有情報を記憶する固有情報記憶手段と、記憶した複数の固有情報のうち、通信手段により通信が可能な１以上の携帯機器に対応する１以上の固有情報を、表示または音声出力する固有情報出力手段と、出力された１以上の固有情報の中から１の固有情報を選択するための操作手段と、選択された１の固有情報に対応する携帯機器を、優先通信の対象となる優先機器として設定する優先機器設定手段と、を備えたことを特徴とする。